(57)【要約】【課題】  文字の入力に便利であり、かつまた入力操作が正しく行える多方向入力鍵磐を提供すること。【解決手段】  本発明の多方向入力鍵磐は複数の開口を要するケースと少なくとも一つのキーを含む。また前記ケースに前記キーの周りに符号区が設置されている、前記キーはすべて多方向入力キーであり、該多方向入力キーはキーカバーを含んでいて、その上部には符号が標示されている。前記キーカバーの底部には多方向コネクタが連結されており、該多方向コネクタはキーカバーと符号区と、に標示されている入力信号を回路基板に伝送するように設けられる。【選択図】  図３
2006107426.tif 000002
【特許請求の範囲】
【請求項１】
複数の開口を要するケースと、少なくとも一つのキーと、を含んでいて、また該ケースには該キーの周りに符号区が設置されている多方向入力鍵盤において、
前記キーは多方向入力キーであり、該多方向入力キーはキーカバーを含んでいて、その上部には符号が標示され、
前記キーカバーの底部には多方向コネクタが連結され、該多方向コネクタはキーカバー及び符号区に標示されている入力信号を回路基板に伝送するように設けられていることを特徴とする多方向入力鍵盤。
【請求項２】
前記キーの多方向コネクタは柱状操作部材を備え、該柱状操作部材は上下または少なくとも１つの頃斜方向に沿って操作できることを特徴とする、請求項１に記載の多方向入力鍵盤。
【請求項３】
前記キーのキーカバーの底部には溝部が形成され、該溝部と前記多方向コネクタの柱状操作部材の頂部が互いに係合していることを特徴とする、請求項２に記載の多方向入力鍵盤。
【請求項４】
前記キーカバーは略半球状でその頂部に同心の鍵面区と遥動区と、を具備することを特徴とする、請求項３に記載の多方向入力鍵盤。
【請求項５】
前記符号区はキーカバーの周りを頃斜して包囲していることを特徴とする、請求項１から請求項４までのいずれか１項に記載の多方向入力鍵盤。
【請求項６】
前記符号区上の符号は放射状に配置されていることを特徴とする、請求項５に記載の多方向入力鍵盤。
【請求項７】
前記各キー上には１０ヵ数字符号、＊及び＃の中で少なくともひとつの符号が標示されていることを特徴とする、請求項１に記載の多方向入力鍵盤。
【請求項８】
前記各符号区には８つの方向の符号が標示され、各多方向キーは８つの方向に沿って操作できることを特徴とする、請求項７に記載の多方向入力鍵盤。
【発明の詳細な説明】
【技術分野】
【０００１】
本発明は入力鍵磐に関して、特に、多方向入力鍵盤に関するものである。
【背景技術】
【０００２】
普通の鍵磐は１０ヵ数字キーと２６ヵ英文字母キーで組み合わせるものである。ある時、場合に合ってほかの符号キーや機能キーも付随する。しかし、このように１つの英文字母または数字は１つのキーに対応しているのでキーの数がかなり多くなるし、従って今日の小形化要求に合致しないことになる。また、ATM機などに使われる鍵磐におけて、一つのキーにひとつの数字しか対応していない構造を有するので、ユーザーのパスワードが容易に盗まれる恐れがある。
【０００３】
従来の携帯電話の鍵磐は１０ヵキーを有していて、各キーは同時に一つの数字及び三つの英文字母を表している。だから、数字を入力する時は簡単なのが、字母を入力すると２回及び３回の入力操作が必要となる。従って、操作が複雑化、誤り易くなるという問題点があった。
【０００４】
字母の入力を簡単に行うために提案されているのが特許文献１であり、それは多方向入力キー１１０とこの入力キー１１０を利用した鍵磐１００を提供する。図１によると、入力キー１１０の中心に平面部１１１を備え、該平面部１１１の周面には４ヵ斜面部１１２が設置されていて、平面部１１１及び斜面部１１２には数字や字母（図示せず）が標記されて、これらのキー１１０はその下の回路基板と対応している。
【０００５】
使う際に、平面部１１１に標記される数字を入力する時は垂直に押圧するし、斜面部１１２に標記された内容を入力する時は指先でその斜面に垂直な方向に押圧する。この多方向入力キーは５ヵ面からなって、１つのキーで５つの異なった信号を入力することができる。従って入力速度が速くなり、文字入力方法も簡単になる。しかし、前記入力キーを携帯電話などの小形電子装置に使う時には、入力キーが指に比べて小さ過ぎて、その斜面を押圧する時、ほかの面も押圧するという可能性が多くなって誤操作が常に発生する。
【０００６】
特許文献２はほかの字母の入力を簡単に行うために提案された多方向入力鍵磐である。図２によると、この多方向入力鍵磐は多方向キー１とテンキー２と、からなる。前記多方向キー１は８つの方向を表す方向キーであり、前記テンキー２の上表面と周りにはそれぞれ符号が標示されている。そこで、使う際に、テンキー２の上表面に表れている文字を入力する時はそのキー２を押圧するだけでよく、前記テンキー２の周りの文字を入力する時には、まず前記多方向キー１の対応する方向を押圧した後、前記テンキー２を押す。このような入力キーは従来の入力キーより入力を簡単に行えるけれど、入力する毎に多方向キー１を押圧するから、やはり入力速度に影響を与える。
【０００７】
そこで、従来の技術の不足点を改善するため、文字の入力が便利で、また入力操作が正しく行われる多方向入力鍵磐を提供する必要がある。
【特許文献１】米国特許第５，５２８，２３５号明細書
【特許文献２】米国特許第６，３２０，９４２号明細書
【発明の開示】
【発明が解決しようとする課題】
【０００８】
本発明は文字の入力に便利であり、また入力操作が正しく行える多方向入力鍵磐を提供することを目的とする。
【課題を解決するための手段】
【０００９】
本発明の多方向入力鍵磐は複数の開口を備えるケースと、少なくとも１つのキーを含んでいる。また前記ケースには前記キーの周りに符号区が設置されている。前記キーは多方向入力キーであり、該多方向入力キーはキーカバーを含んでいる。該キーカバーの上表面には符号が標示さｓれ、その底部には多方向コネクタが連結されている。該多方向コネクタはキーカバー及び符号区の内容を表す入力信号を回路基板に与える。
【発明の効果】
【００１０】
従来技術に比べて、本発明の多方向入力鍵磐は以下の長所がある。本発明の入力キーはすべて多方向キーであり、該キーの多方向操作に伴って、前記キーの底部に連結されている前記多方向コネクタが対応する入力信号を伝送して１つだけのキーに入力操作を実現させることができる。従って、この入力鍵磐は信号の入力に便利であり且つ速い、また、より小さい空間しか要さないから、携帯電話などの小形電子装置に広く使用することができる。
【発明を実施するための最良の形態】
【００１１】
図３を参照すると、本発明の多方向入力鍵磐１０はケース１２を含んでいる。ケース１２の上表面に複数の開口１４が形成さていて、多方向キー２０は前記開口１４から外部に出現しており、ユーザーによって操作することができる。前記別々の多方向キー２０の上表面には０〜９の数字、＊及び＃の中の少なくとも一つの機能符号が標示されている。
【００１２】
図４を参照すると、本発明の多方向キー２０はキーカバー２１と、多方向コネクタ２５と、を含んでいる。該多方向コネクタ２５はキーカバー２１の底部に位置づけられており、キーカバー２１の底部と多方向コネクタ２５の頂部が互いに係合する。多方向コネクタ２５の底部には携帯電話装置の回路基板３０に連結されている。
【００１３】
該キーカバー２１はユーザーが信号を入力する時に、直接、接触する部位である。該キーカバー２１は蓋体に似ており、その表面は略半球状であり、その頂部には鍵面区２２が設置されている。該鍵面区２２上には唯一の数字や符号が標示されている。前記鍵面区２２の周りには遥動区２３を備え、鍵面区２２と遥動区２３とは円滑に連結されており、前記キーカバー２１の底部には溝部２４が形成されている。
【００１４】
前記開口１４の周りの前記ケース１２の上には前記キーカバー２１の周りに符号区１６が設置されている、また、前記符号区１６は多方向キー２０の周りに所定の頃斜角度を持って配置されている。各符号区１６は字母、指令及びほかの入力符号を含んでいて、前記符号区１６の符号は放射状に配列されている。
【００１５】
該多方向コネクタ２５は従来のコネクタと同じものであり、該多方向コネクタ２５上の中心には柱状操作部材２６が位置し、該柱状操作部材２６と前記キーカバー２１の溝部２４と、が係合する。該多方向コネクタ２５の底部は当接部２７であり、該当接部２７は中心当接点及び８つの方向に沿う当接点（図示せず）を持っている。その各当接点は唯一に鍵面区２２の数字や符号区１６の符号と対応している。該柱状操作部材２６は所定の垂直方向と８つの頃斜方向へ動き、該多方向コネクタ２５の動きによって、前記多方向コネクタ２５の当接点と回路基板３０の当接点が当接して入力動作が行われる。
【００１６】
図５に示すように、ユーザーが多方向キー２０の上表面に標示されている数字を入力する時、指で垂直方向に沿って前記キーカバー２１の鍵面区２２を押圧すると、キーカバー２１はその底部の柱状操作部材２６を連行して垂直方向に移動し、それで、対応する当接点と携帯電話の回路基板３０が当接する。また、ユーザーが符号区１６に標示されている符号を入力する時は、指で遥動区２３を入力したい符号の方向へ移動すると同時に遥動区２３に垂直に押圧し、それで、前記符号区１６の符号に対応する当接点と回路基板３０が当接する、このようにして入力動作が終わる。
【００１７】
なお、上述した実施の形態において、前記多方向キー２０は、８つの方向と垂直方向の機能を有していると説明したが、それにも拘わらず、他の方向数と垂直方向の機能を有しいてもよい。
【図面の簡単な説明】
【００１８】
【図１】従来の一つの多方向入力鍵盤に係る斜視模式図である。
【図２】従来のほかの多方向入力鍵盤に係る正面模式図である。
【図３】本発明に係る多方向入力鍵盤の正面模式図である。
【図４】本発明に係る多方向入力鍵盤の立体分解模式図である。
【図５】本発明に係る多方向入力鍵盤の操作方式図である。
【符号の説明】
【００１９】
１０  鍵盤
１２  ケース
１４  開口
１６  符号区
２０  多方向キー
２１  キーカバー
２２  鍵面区
２３  遥動区
２４  溝部
２５  多方向コネクタ
２６  柱状操作部材
２７  当接部
３０  回路基板
【図１】
2006107426.tif 000003
【図２】
2006107426.tif 000004
【図３】
2006107426.tif 000005
【図４】
2006107426.tif 000006
【図５】
2006107426.tif 000007